(57)【特許請求の範囲】
【請求項１】
移動体通信システムにおいてデータを受信する方法であって、
第１情報及び第２情報を含む制御チャネル信号を受信するステップであって、前記第１情報はリソース割当タイプを示すために用いられ、前記第２情報は、リソース割当のためのビットマップを含む、ステップと、
前記制御チャネル信号によって割り当てられた１又は複数のリソースを介して前記データを受信するステップと、を有し、
前記ビットマップのビット値は、第１リソース割当タイプが示されているときは、連続したリソースブロックグループ（ＲＢＧ）内に対応するＲＢＧが割り当てられているか否かを示し、
前記ビットマップのビット値は、第２リソース割当タイプが示されているときは、ＲＢＧセット内に対応するリソースブロック（ＲＢ）が割り当てられているか否かを示し、
前記ＲＢＧセットは、一定のＲＢＧのうちＮ番目ごとのＲＢＧを含み、ＲＢＧはそれぞれ１又は複数の連続したＲＢを含み、ＲＢはそれぞれ連続した副搬送波を含み、Ｎは２以上の整数である、方法。
【請求項２】
Ｎは、複数のＲＢＧセットの数に等しい、請求項１に記載の方法。
【請求項３】
前記制御チャネル信号は、前記第２リソース割当タイプが示されているとき、複数のＲＢＧセットのうち、前記ＲＢＧセットを示すために用いられる第３情報を更に有する、請求項１に記載の方法。
【請求項４】
移動体通信システムにおいてデータを送信する方法であって、
第１情報及び第２情報を生成するステップであって、前記第１情報はリソース割当タイプを示すために用いられ、前記第２情報は、リソース割当のためのビットマップを含む、ステップと、
前記第１情報及び前記第２情報を含む制御チャネル信号を端末へ送信するステップと、
前記制御チャネル信号によって割り当てられた１又は複数のリソースを介して前記データを前記端末へ送信するステップと、を有し、
前記ビットマップのビット値は、第１リソース割当タイプが示されているときは、連続したリソースブロックグループ（ＲＢＧ）内に対応するＲＢＧが割り当てられているか否かを示し、
前記ビットマップのビット値は、第２リソース割当タイプが示されているときは、ＲＢＧセット内に対応するリソースブロック（ＲＢ）が割り当てられているか否かを示し、
前記ＲＢＧセットは、一定のＲＢＧのうちＮ番目ごとのＲＢＧを含み、ＲＢＧはそれぞれ１又は複数の連続したＲＢを含み、ＲＢはそれぞれ連続した副搬送波を含み、Ｎは２以上の整数である、方法。
【請求項５】
Ｎは、複数のＲＢＧセットの数に等しい、請求項４に記載の方法。
【請求項６】
前記制御チャネル信号は、前記第２リソース割当タイプが示されているとき、複数のＲＢＧセットのうち、前記ＲＢＧセットを示すために用いられる第３情報を更に有する、請求項４に記載の方法。
【請求項７】
請求項１〜６のいずれか一項に記載の方法を実行するようにした通信装置。
【発明の詳細な説明】
【技術分野】
【０００１】
本発明は、移動体通信システムに関するもので、より具体的には、移動体通信システムにおけるリソース割当方法及びリソース割当情報送受信方法に関する。
【背景技術】
【０００２】
移動体通信システムにおけるデータ送信のためのスケジューリング、すなわち、リソース割当方式は、周波数ダイバーシチを用いて受信性能利得を得るＦＤＳ（Frequency Diversity Scheduling）方式と、周波数選択的スケジューリングを用いて受信性能利得を得るＦＳＳ（Frequency Selective Scheduling）方式と、に区別できる。
【０００３】
ＦＤＳ方式において送信端末は、一つのデータパケットを、システム周波数領域に広く分散された副搬送波を通じて送信し、１データパケット内のシンボルが多様な無線チャネルフェージングを受けるようにすることによって、データパケット全体が不利なフェージングを受けるのを防止し、受信性能の向上を図る。
【０００４】
これに対し、ＦＳＳ方式では、データパケットを、システム周波数領域において有利なフェージング状態にある一つ又は複数の連続した周波数領域を通じて送信することによって、受信性能の向上を図る。
【０００５】
実際に、セルラＯＦＤＭ無線パケット通信システムで一つのセル中には複数の端末機が存在し、各端末機の無線チャネル状況は互いに異なっているため、一つのサブフレーム内でも、ある端末機に対してはＦＤＳ方式データ送信を、他の端末機に対してはＦＳＳ方式データ送信を行なう必要がある。したがって、ＦＤＳ送信方式とＦＳＳ送信方式は、両方式が１サブフレーム内で効率的に多重化されるように設計されることが好ましい。
【先行技術文献】
【特許文献】
【０００６】
【特許文献１】欧州特許出願公開第１７４６８５５号
【特許文献２】国際公開第２００５／０６０１３２号
【特許文献３】米国特許出願公開第２００５／１１７５３６号
【発明の概要】
【発明が解決しようとする課題】
【０００７】
本発明は、上述した従来技術における限界及び欠点に起因する一つ又はそれ以上の問題を実質的に解決するためのもので、移動体通信システムにおけるリソース割当方法及びリソース割当情報送受信方法に関する。
【０００８】
上記の問題を解決するために、本発明は、効果的なリソース割当方法を提供することを目的とする。
【０００９】
また、上記の問題を解決するために、本発明は、効果的なリソース割当方法によるリソース割当情報を送信する方法を提供することを目的とする。
【課題を解決するための手段】
【００１０】
本発明の一実施様態による移動体通信システムにおいてリソース割当情報を受信する方法は、制御チャネルを通じて、リソースブロックグループセットを指示する第１情報及び前記リソースブロックグループセットに含まれるリソースブロックを割り当てるか否かを指示するビットマップである第２情報を受信し、割り当てられたリソースブロックを前記第１情報及び前記第２情報から確認し、前記割り当てられたリソースブロックを通じてデータを受信することを含む。
【００１１】
前記第１情報は、一つ以上のリソースブロックグループセットのうち一つを指示することができる。
【００１２】
前記リソースブロックグループセットは、一つ以上のリソースブロックグループを含んで構成することができる。
【００１３】
前記リソースブロックグループは、一つのサブフレームに含まれるリソースブロックの数によって連続した一つ以上のリソースブロックを含むことができる。
【００１４】
前記リソースブロックグループセットの数は、前記リソースブロックグループに含まれるリソースブロックの数に相応することができる。
【００１５】
前記リソースブロックグループセットに含まれるリソースブロックの数は、前記リソースブロックグループの数に相応することができる。
【００１６】
本発明の他の実施様態による移動体通信システムにおいてリソース割当情報を送信する方法は、リソース割当タイプを指示する第１情報及び前記リソース割当タイプによって一つのサブフレームに含まれる少なくとも一部のリソースブロックを割り当てるか否かを指示するビットマップである第２情報を含む制御チャネルを構成し、前記制御チャネルをスケジューリングされた端末に送信し、前記制御チャネルと関連するデータを前記スケジューリングされた端末に送信することを含む。
【００１７】
前記リソース割当タイプには、グループスケジューリング方式及び部分ビットマップスケジューリング方式が含まれる。
【００１８】
前記第１情報が前記部分ビットマップスケジューリング方式を指示する場合、前記ビットマップは、リソースブロックグループセットのリソースブロックのうち、前記スケジューリングされた端末に割り当てられたリソースブロックを指示することができる。
【００１９】
前記リソースブロックグループセットは、一つ以上のリソースブロックグループを含むことができる。
【００２０】
前記リソースブロックグループは、一つ以上の連続したリソースブロックを含むことができる。
【００２１】
前記制御チャネルは、前記一つ以上のリソースブロックグループセットのうち一つを指示する第３情報をさらに含むことができる。
【００２２】
前記第１情報が前記グループスケジューリング方式を指示する場合、前記ビットマップは、前記スケジューリングされた端末に割り当てられたリソースブロックグループを指示することができる。
【００２３】
本発明のさらに他の実施様態による移動体通信システムにおいてリソース割当情報を受信する方法は、一つのサブフレームに含まれる一つ以上のリソースブロック中の一部で構成される仮想リソースブロック情報を受信し、前記仮想リソースブロック情報から割り当てられたリソースブロックを確認し、前記仮想リソースブロックによって、前記割り当てられたリソースブロックの少なくとも一部を通じてデータを受信することを含む。
【００２４】
前記仮想リソースブロック情報は、前記一つ以上のリソースブロックに関する情報及び前記一つ以上のリソースブロックで構成される一つ以上の仮想リソースブロックのうち、一つ以上を指示する情報を含むことができる。
【００２５】
前記仮想リソースブロック情報は、前記一つ以上のリソースブロックの個数情報、前記一つ以上のリソースブロックで構成される一つ以上の仮想リソースブロックの個数情報、及び前記一つ以上の仮想リソースブロックのうち一つ以上を指示する情報を含むことができる。
【発明の効果】
【００２６】
本文書で開示する無線リソース割当方法とリソース割当情報の構成及び送受信方式を適用することによって、ＦＳＳ方式スケジューリングとＦＤＳ方式スケジューリングとを効率的に混合し、スケジューリングを行なうことができる。
【００２７】
また、本文書で開示する無線リソース割当方法とリソース割当情報の構成及び送信方式を適用することによって、リソース割当情報伝達のためのビット数を減らすことができる。
【００２８】
なお、本文書で開示するＤＶＲＢ構成方式を使用することによって、各端末機へのデータ送信に対するセル間干渉をランダム化し、システム効率を最適化することができる。
【図面の簡単な説明】
【００２９】
【図１】スケジューリングリソースブロック単位を説明するための図である。
【図２】局部仮想リソースブロック（ＬＶＲＢ：Localized Virtual Resource Block）を用いるグループスケジューリング方法の一例を説明するための図である。
【図３】本発明の一実施例によって局所仮想リソースブロック（ＬＶＲＢ）を用いる部分ビットマップスケジューリング方法の一例を説明するための図である。
【図４】本発明の一実施例によって局所仮想リソースブロック（ＬＶＲＢ）を用いる部分ビットマップスケジューリング情報構成方法の一例を説明するための図である。
【図５】本発明の一実施例によって分散仮想リソースブロック（ＤＶＲＢ：Distributed Virtual Resource Block ）を構成する方法の一例を説明するための図である。
【図６】本発明の一実施例によって分散仮想リソースブロック（ＤＶＲＢ）を用いるスケジューリングに対するスケジューリング情報構成方法の一例を説明するための図である。
【図７】本発明の一実施例によって分散仮想リソースブロック（ＤＶＲＢ）を用いるスケジューリングに対するスケジューリング情報構成方法の一例を説明するための図である。
【図８】本発明の他の実施例によって分散仮想リソースブロック（ＤＶＲＢ）を構成する方法の一例を説明するための図である。
【図９】本発明の他の実施例によって分散仮想リソースブロック（ＤＶＲＢ）を用いるスケジューリングに対するスケジューリング情報構成方法の一例を説明するための図である。
【図１０】本発明の一実施例によってセル別に別個の分散仮想リソースブロック（ＤＶＲＢ）を構成する方法の一例を説明するための図である。
【図１１】本発明の一実施例によってセル別に別個の分散仮想リソースブロック（ＤＶＲＢ）送信に用いられるＤＶＲＢ用ＰＲＢ（Physical Resource Block）選択方法の一例を説明するための図である。
【図１２】本発明の一実施例によってＤＶＲＢを用いた送信とＬＶＲＢを用いた送信を、一つのサブフレーム内で多重化して送信する方法の一例を説明するための図である。
【発明を実施するための形態】
【００３０】
以下、本発明による好適な実施形態を、添付の図面を参照しつつ詳細に説明する。図面中、同一の構成要素には、可能な限り同一の参照符号を付する。
【００３１】
図１は、スケジューリングリソースブロック単位を説明するための図である。
【００３２】
移動体通信システムにおいて上／下りリンクデータパケット送信はサブフレーム単位に行なわれ、１サブフレームは、複数のＯＦＤＭシンボルを含む一定時間区間で定義されることができる。記述の便宜上、本文書では次のように用語を定義する。
【００３３】
リソース要素（ＲＥ：Resource Element）は、データ又はその他の制御チャネルの変調シンボルがマッピングされる最も小さい周波数−時間単位である。１ＯＦＤＭシンボルにＭ個の副搬送波を通じて信号が送信され、１サブフレームにＮ個のＯＦＤＭシンボルが送信されるとき、１サブフレームにはＭ×Ｎ個のＲＥが存在する。
【００３４】
物理リソースブロック（ＰＲＢ：Physical Resource Block）は、データを送信する単位周波数−時間リソースである。一般的に、１ＰＲＢは、周波数−時間領域で連続するＲＥで構成され、１サブフレームには複数のＰＲＢが定義される。
【００３５】
仮想リソースブロック（ＶＲＢ：Virtual Resource Block）は、データ送信のための仮想的な単位リソースである。一般に、一つのＶＲＢが含むＲＥの個数は、一つのＰＲＢが含むＲＥの個数と同一であり、実際のデータ送信で、一つのＶＲＢは一つのＰＲＢにマッピングされたり、又は、一つのＶＲＢが複数のＰＲＢの一部領域にマッピングされたりすることができる。
【００３６】
局所仮想リソースブロック（ＬＶＲＢ：Localized Virtual Resource Block）は、ＶＲＢのタイプの一つである。一つのＬＶＲＢは一つのＰＲＢにマッピングされ、別個のＬＶＲＢがマッピングされるＰＲＢは重複されない。ＬＶＲＢはＰＲＢとして解釈されてもよい。ここで、ＬＶＲＢがマッピングされるＰＲＢを、ＬＶＲＢ用ＰＲＢと称することができる。
【００３７】
分散仮想リソースブロック（ＤＶＲＢ：Distributed Virtual Resource Block）は、ＶＲＢのタイプの一つである。一つのＤＶＲＢは、複数のＰＲＢ中の一部ＲＥでマッピングされ、別個のＤＶＲＢにマッピングされるＲＥは重複されない。ここで、ＤＶＲＢ構成に使われるＰＲＢもＤＶＲＢ用ＰＲＢと称することができる。
【００３８】
基地局から特定端末機への下りリンクデータ送信、又は、特定端末機から基地局への上りリンクデータ送信に対するスケジューリングは、１サブフレーム内で一つ又は複数のＶＲＢを通じてなされる。このとき、基地局は、特定端末機に下りリンクデータを送信するときに、どの下りリンクＶＲＢを通じてデータを送信するかを当該端末機に知らせなければならず、また、特定端末機が上りリンクデータを送信できるようにするために、どの上りリンクＶＲＢを通じてデータを送信すればよいかを当該端末機に知らせる。
【００３９】
実際のシステムでは、１サブフレーム内に、ＬＶＲＢを用いたデータ送信とＤＶＲＢを用いたデータ送信とが一緒になされるようにすることができ、このとき、ＬＶＲＢデータ伝送とＤＶＲＢデータ送信が同一ＲＥで衝突しないようにするには、１サブフレーム内でＤＶＲＢデータ送信とＬＶＲＢデータ送信は別個のＰＲＢを用いることが好ましい。
【００４０】
言い換えると、１サブフレーム内のＰＲＢは、上述したように、ＬＶＲＢ用ＰＲＢとＤＶＲＢ用ＰＲＢとに区別できる。また、１サブフレーム内でＬＶＲＢを用いたデータ送信とＤＶＲＢを用いたデータ送信とが一緒になされた場合には、特定端末機の上／下りリンクデータ送受信時に用いられるＶＲＢが、ＬＶＲＢなのかＤＶＲＢなのかを知らせることができる。
【００４１】
以下、まず、ＬＶＲＢを用いたデータ送信方式とそれによるスケジューリング情報送信方法を説明する。
【００４２】
一つのサブフレームにＮLVRB個のＬＶＲＢが存在すると、基地局は一つ以上の端末機にＮLVRB個のＬＶＲＢを用いて、ＬＶＲＢを用いたデータ送信方式による上／下りリンクスケジューリングをすることができる。
【００４３】
そして、端末機にＮLVRBビットのビットマップ情報を送信することによって、どのＬＶＲＢを通じて下りリンクデータが送信されるか、又は、どのＬＶＲＢを通じて上りリンクデータを送信できるかを知らせることができる。すなわち、ＮLVRBビットのビットマップ情報の各ビットは、ＮLVRB個のＬＶＲＢの各ＬＶＲＢに対してデータ送信情報を表現する。
【００４４】
例えば、ＮLVRBビットのビットマップ情報において、該当の端末機の上／下りリンクデータ送受信時に用いられるＬＶＲＢに対しては、このＬＶＲＢに対するビットを１に設定し、該当の端末機の上／下りリンクデータ送受信時に用いられないＬＶＲＢに対しては、該ＬＶＲＢに対するビットを０に設定する。このような方法で構成されたＮLVRBビットのビットマップ情報を受信する端末は、ＮLVRBビットのビットマップ情報において１に設定されたＬＶＲＢを用いて下りリンクデータを受信したり、上りリンクデータを送信したりすることができる。
【００４５】
図２は、局所仮想リソースブロック（ＬＶＲＢ）を用いるグループスケジューリング方法の一例を説明するための図である。
【００４６】
１サブフレームに存在するＬＶＲＢの個数が多い場合、基地局がＮLVRBビットのビットマップ情報を端末機に知らせるのに過多に下りリンクリソースを使用することになる。このときは、ＮLVRB個のＬＶＲＢをＮgroup個のＬＶＲＢグループに分けてデータ送／受信をＬＶＲＢグループ単位に行なうことによって、ビットマップ情報送信に対する負担を減らすことができる。
【００４７】
すなわち、ＬＶＲＢグループ単位送信において、基地局は各端末機にＬＶＲＢのそれぞれに対するＮLVRBビットのビットマップ情報を知らせるのではなく、Ｎgroup個のＬＶＲＢグループに対するＮgroupビットのビットマップ情報を知らせる。
【００４８】
また、ＦＳＳ方式でデータを送受信するためにＬＶＲＢを用いる場合、ＦＳＳ方式では周波数領域で連続した副搬送波を用いてデータを送信する方が有利なため、それぞれのＬＶＲＢグループは、周波数領域で連続したＰＲＢで構成することが好ましい。以上の方式を本発明では「グループスケジューリング方式」と呼ぶ。
【００４９】
図２で、１サブフレームは４８個のＰＲＢで構成され、各ＰＲＢはそれぞれ一つのＬＶＲＢとマッピングされる例を示す。ここで、３個のＬＶＲＢを一つのＬＶＲＢグループにまとめることによって、１サブフレーム内には１６個のＬＶＲＢグループが存在することとなる。したがって、基地局は、１６ビットのビットマップ情報を通じて、特定端末機に下りリンクデータが送信される領域又は特定端末機が上りリンクデータを送信できる領域を知らせることができる。
【００５０】
しかし、ＬＶＲＢグループ単位のデータ送信をする場合、小さい量のデータ送信にもＮgroup個のＬＶＲＢを使用しなければならず、周波数−時間リソースを浪費してしまう。また、周波数領域で連続したＮgroup個のＬＶＲＢが基本データ送信単位になると、ＦＤＳ方式データ送信を効率的に行ない難くなる。
【００５１】
したがって、本実施例では、ＬＶＲＢグループ単位のデータ送信ではなく、ＬＶＲＢ単位のデータ送信を可能すると同時に、データが送信されるＬＶＲＢを知らせるのにかかる負担を減らすため、各端末機に１サブフレーム内の全体ＬＶＲＢのうち、あらかじめ定められた一部ＬＶＲＢに対してだけ、ＬＶＲＢ単位ビットマップ情報を用いて、各ＬＶＲＢを通じたデータ送信可否を知らせる方式を提案する。
【００５２】
データ送受信のためのＬＶＲＢが割り当てられる端末機は、１サブフレームに対しては一つのＬＶＲＢセットに属するＬＶＲＢを通じてはデータ送受信が可能である。以上の方式を本発明では「部分ビットマップスケジューリング方式」と呼ぶ。
【００５３】
図３は、本発明の一実施例によって局所仮想リソースブロック（ＬＶＲＢ）を用いた部分ビットマップスケジューリング方法の一例を説明するための図である。
【００５４】
本実施例で、１サブフレームにＮLVRB個のＬＶＲＢが存在するときに、１サブフレーム内の全体ＬＶＲＢのうち、あらかじめ定められた一部ＬＶＲＢに対してＬＶＲＢセットを定義する。言い換えると、ＮLVRB_part＜ＮLVRBであるＮLVRB_part個のＬＶＲＢセットを一つ以上あらかじめ定義する。
【００５５】
ここで、ＬＶＲＢセットは、多様な方法で構成されることができ、また、図３の上端に一例として示されたグループスケジューリング方式を適用するためのグループ構成方法とセット構成方法とに関連してＬＶＲＢグループ又はＬＶＲＢセットを定義することができる。このようにグループスケジューリング方式を適用するためのＬＶＲＢグループ構成方法を考慮してＬＶＲＢセットを定義すると、グループスケジューリング方式と部分ビットマップスケジューリング方式を互いに両立して使用することができ、より柔軟なスケジューリングができるという効果が期待される。以下、実施例としてＬＶＲＢグループ構成方法を考慮してＬＶＲＢセットを構成する２つの方式について説明する。
【００５６】
第一の方式は、図３の部分ビットマップスケジューリング方式１のように、一つのＬＶＲＢセットがグループスケジューリング方式で使用する複数個のＬＶＲＢグループ、特に、周波数領域で互いに連続しないＬＶＲＢグループを含むように定義する方式である。この方式によれば、一つのＬＶＲＢグループ内の複数個のＬＶＲＢを一つの端末機に割り当てることができる。したがって、少ない数の端末機に対する部分ビットマップスケジューリングによっても一つのＬＶＲＢグループ内のＬＶＲＢをすべて利用できるという利点がある。
【００５７】
第二の方式は、一つのＬＶＲＢセットを、周波数領域で一定のＰＲＢ間隔で離れたＬＶＲＢで構成する方式である。より特徴的には、図３の部分ビットマップスケジューリング方式２のように、一つのＬＶＲＢセットは、各ＬＶＲＢグループに属する一つのＬＶＲＢを含むように構成することができる。この方式によれば、部分ビットマップスケジューリング方式をＦＤＳ方式データ送信に用いるときに、一つの端末機に対するデータ送受信を、周波数領域で互いに離れたＬＶＲＢだけによって行なうことができるという利点がある。
【００５８】
部分ビットマップスケジューリング方式で、ＬＶＲＢ集合は以上の２種類の方式を用いて構成できるが、これに限定されず、その他様々な方式を用いてＬＶＲＢセットを構成してもよい。
【００５９】
図４は、本発明の一実施例によって局所仮想リソースブロック（ＬＶＲＢ）を用いた部分ビットマップスケジューリング情報構成方法の一例を説明するための図である。
【００６０】
図４に示すスケジューリング情報構成例はそれぞれ、一つの端末機に対するスケジューリング情報構成を表し、特に、ＬＶＲＢを用いてスケジューリングされた端末機に送信できるスケジューリング情報構成を表す。
【００６１】
本実施例で、上述したように１サブフレームにＮLVRB個のＬＶＲＢが存在するときに、１サブフレーム内の全体ＬＶＲＢのうち、あらかじめ定められた一部ＬＶＲＢに対してＬＶＲＢセットを定義すると仮定する。
【００６２】
図４の上端では、ＬＶＲＢセットを定義してスケジューリングする場合に対するスケジューリング情報構成方法を示す。図４の上端に示すように、基地局は、各端末機にどのＬＶＲＢセットに該当するビットマップであるかを知らせるＬＶＲＢセット情報４０と、そのＬＶＲＢセット内の各ＬＶＲＢに対するデータ送信可否を知らせるＮLVRB_partビットのビットマップ情報４１を通じて、各端末機がどのＬＶＲＢを通じてデータを受信したり、送信したりするかを知らせることができる。
【００６３】
このようなスケジューリング情報を受信する端末機は、ブロードキャスト情報又はスケジューリング情報から、ＮLVRBが割り当てられたことを知っていると仮定する。したがって、図４の上端に示すスケジューリング情報を受信し、ＬＶＲＢセット情報４０から、どのセットに含まれるＬＶＲＢを使用できるかわかり、続いて、ＮLVRB_partビットのビットマップ情報４１を受信し、ＬＶＲＢセット情報４０により確認されるセット内のどのＬＶＲＢを使用できるかがわかる。
【００６４】
図４の下端では、上述したように、ＬＶＲＢグループとＬＶＲＢセットは互いに関連しており、グループスケジューリング方式と部分ビットマップスケジューリング方式を互いに両立して使用できる場合に対するスケジューリング情報構成方法を示す。
【００６５】
図４の下端に示すように、基地局は各端末機に、このビットマップ情報がＬＶＲＢグループに対するビットマップ情報なのか、あるいは、ＬＶＲＢセットに対するビットマップ情報なのかを知らせるグループ／セット指示情報４２、ＬＶＲＢセットに対するビットマップ情報の場合、どのＬＶＲＢセットに該当するビットマップなのかを知らせるＬＶＲＢセット情報４３、そして、ＬＶＲＢグループに対するデータ送信可否又はＬＶＲＢセット内の各ＬＶＲＢに対するデータ送信可否を知らせるＮbitmapビットのビットマップ情報４４を通じて、各端末機がどのＬＶＲＢを通じてデータを受信したり、送信したりするかを知らせることができる。
【００６６】
このようなスケジューリング情報を受信する端末機は、同様に、ブロードキャスト情報又はスケジューリング情報によって、ＮLVRBの割当を受けたことを知っていると仮定する。端末機は、図４の下端に示すスケジューリング情報を受信し、グループ／セット指示情報４２から、後続するビットマップ情報がＬＶＲＢグループに対するビットマップ情報なのか又はセット内の各ＬＶＲＢに対するビットマップ情報なのかがわかる。
【００６７】
そして、グループ／セット指示情報４２でセットを指示する場合、ＬＶＲＢセット情報４３から、どのセットに含まれるＬＶＲＢを使用できるかがわかり、続いて、Ｎbitmapビットのビットマップ情報４４を受信し、ＬＶＲＢセット情報４３から確認されるセット内のどのＬＶＲＢを使用できるかがわかる。同様に、グループ／セット指示情報４２でグループを指示する場合、Ｎbitmapビットビットマップ情報４４からどのＬＶＲＢが使用できるかがわかる。
【００６８】
グループスケジューリング方式と部分ビットマップスケジューリング方式を互いに両立して使用できる場合に対する他の実施例として、図４の下端で説明したように、グループ／セット指示情報４２が別のビット情報として送信されずに、図４の上端の実施例で説明したＬＶＲＢセット情報４０の一要素として送信されてもよい。例えば、ＬＶＲＢセットが３個あるとすれば、００はビットマップ情報がＬＶＲＢグループに対するビットマップ情報であることを表し、０１、１０、１１はそれぞれのＬＶＲＢセット情報を指示するように設定して、ビットマップ情報がＬＶＲＢセットに対するビットマップ情報であることを知らせることができる。すなわち、０１、１０、１１はそれぞれ、ＬＶＲＢセット１、ＬＶＲＢセット２、ＬＶＲＢセット３を指示するように設定することができる。
【００６９】
上述したように、ＬＶＲＢグループとＬＶＲＢセット間に関連性があると自由なデータ割当が可能である。特に、その場合には、Ｎbitmap＝ＮLVRB_part＝Ｎgroupを満たすように設計することが好ましい。これは、Ｎbitmap＝ＮLVRB_part＝Ｎgroupを満たすように設計すると、一定の大きさのビットマップ情報を利用できるためである。
【００７０】
データ送信方式のうちＦＳＳ方式では主として周波数領域で連続した副搬送波を用いてデータを送信するため、ＬＶＲＢを用いてデータを送信するとより効果的である。また、本実施例によると、スケジューリング情報量を低減できる他に、ＦＳＳ方式とＦＤＳ方式が適切に組み合わせられた形態でスケジューリングができ、送信リソースをより効率的に使用できるという効果も奏する。
【００７１】
以上、ＬＶＲＢを用いたデータ送信方式とそれによるスケジューリング情報送信方法を説明した。
【００７２】
以下、ＤＶＲＢを用いたデータ送信方式とそれによるスケジューリング情報送信方法について説明する。
【００７３】
上述したグループスケジューリング方式又は部分ビットマップスケジューリング方式では小さい数のＶＲＢを通じたＦＤＳ方式データ送信を効率的に行なうことができない。例えば、一つのＶＲＢを通じてデータパケットを送信する場合には、部分ビットマップスケジューリング方式を適用すると一つのＬＶＲＢを通じてしか送信できず、よって、そのデータパケットは周波数領域で連続した副搬送波に送信され、周波数ダイバーシチ利得を得ることができない。そこで、本実施例ではＦＤＳ方式データ送信を効率的に行なうために大きく２種類の方式を提案する。
【００７４】
図５は、本発明の一実施例によって分散仮想リソースブロック（ＤＶＲＢ）を構成する方法の一例を説明するための図である。
【００７５】
本実施例は、ＮDVRB個のＤＶＲＢ用ＰＲＢに含まれるＲＥを組み合わせてＮDVRB個のＤＶＲＢを構成する方式である。この方式で、一つのＤＶＲＢは、ＮDVRB個のＰＲＢに属する各ＰＲＢで特定量のＲＥを含むように構成される。図５は、４個のＤＶＲＢ用ＰＲＢに含まれるＲＥを組み合わせて４個のＤＶＲＢを構成する例を示す。すなわち、図５で、一つのＤＶＲＢは、４個のＤＶＲＢ用ＰＲＢに属する各ＰＲＢにおいて５個のＲＥを含むように構成される。
【００７６】
このときにデータパケットを一つ又は複数のＤＶＲＢを通じて送信することによって周波数ダイバーシチ利得を得ることができる。基地局は、自由なＦＤＳ方式送受信のために、任意の個数の任意のＰＲＢをまとめて特定端末機にデータを送受信するＤＶＲＢを構成することができる。そして、各端末機にＤＶＲＢを通じたデータ送受信に使われるＤＶＲＢ用ＰＲＢ、そのＤＶＲＢ用ＰＲＢ内でＤＶＲＢがどのように構成されるか、そして、そのＤＶＲＢのうちどのＤＶＲＢを通じてデータが送受信されるかを知らせる。
【００７７】
図６は、本発明の一実施例によって分散仮想リソースブロック（ＤＶＲＢ）を用いるスケジューリングに対するスケジューリング情報構成方法の一例を説明するための図である。
【００７８】
図５で説明した通り、一つのＮDVRB個のＤＶＲＢ用ＰＲＢに含まれるＲＥを組み合わせてＮDVRB個のＤＶＲＢ構成が決定される方法が用いられる場合、基地局で送信できるスケジューリング情報を説明する。この場合、本発明では、基地局が任意のサブフレームで任意の端末機にＤＶＲＢを通じたデータ送受信をする場合、次のような情報を該当端末機に知らせることを提案する。すなわち、図６は、一つの端末機に対するスケジューリング情報を示したものである。
【００７９】
まず、該当の端末機に対するデータ送受信がなされるＤＶＲＢを構成するＲＥが含まれるＤＶＲＢ用ＰＲＢ情報６０を知らせる。例えば、ＤＶＲＢ用ＰＲＢ情報６０は、該当するＰＲＢのインデックス情報としても良く、そのＰＲＢがわかるビットマップ情報としてもよい。
【００８０】
このように基地局は、該当の端末機に対するＤＶＲＢを構成するＲＥが含まれるＤＶＲＢ用ＰＲＢ情報６０を通じて、間接的にＤＶＲＢがどのように構成されるかを知らせることができる。例えば、基地局が当該端末機のデータ送受信に用いられる３個のＰＲＢを知らせる場合は、該端末機は、知らせられた各ＰＲＢ内のＲＥが３グループに分けられ、３個のＰＲＢでそれぞれ一つのＲＥグループがマッピングされるＤＶＲＢが３個定義されることを類推できる。
【００８１】
特に、ＰＲＢのインデックスを知らせる場合には、ＤＶＲＢ構成に最大Ｎmax個までのＰＲＢを使用できると仮定すれば、Ｎmaxより小さいＮused個のＰＲＢを使用する場合には、実際使用するＮused個のＰＲＢインデックスを知らせるビット以外の残りＰＲＢインデックスビットには、実際に使用するＰＲＢのインデックスを重複して知らせることができる。このように余分のビットを用いて実際に使用するＰＲＢのインデックスを重複して知らせると、別の情報無しでいくつのＰＲＢが使われるかを知らせることができる。
【００８２】
言い換えると、基地局は端末機にいくつのＰＲＢが使われるかを知らせないが、端末機はいくつのＰＲＢが使われるかを類推できる。例えば、重複するＰＲＢのインデックスがないときは、Ｎmax個のＰＲＢを使用するものと類推できる。また、重複するＰＲＢのインデックスがあるときは、Ｎrepeat個のＰＲＢのインデックスが重複するか確認し、Ｎused＝Ｎmax−Ｎrepeatから、実際にＮused個のＰＲＢを使用するものと類推できる。
【００８３】
より特徴的には、ＤＶＲＢ用ＰＲＢ情報６０の開始部分又は最後の部分に、Ｎused個のＰＲＢインデックスビットに実際に使用するＰＲＢのインデックスを集めて知らせることができる。このように実際に使用するＰＲＢのインデックスを集めてＰＲＢ情報６０の開始部分又は最後の部分に送信すると、受信側で実際に使用するＰＲＢのインデックスと重複するＰＲＢのインデックスを区別しやすくなり、より効果的なスケジューリング情報送受信が可能になる。
【００８４】
また、ＤＶＲＢ送信に用いられるＤＶＲＢ用ＰＲＢのインデックス又はビットマップ情報を知らせる場合に必要なビット数を低減する目的で、システムバンドに存在する全体ＰＲＢに対するインデックス又はビットマップではなく、あるＰＲＢセットに対して構成したＰＲＢのインデックス又はビットマップ情報を知らせることができる。
【００８５】
言い換えると、ＰＲＢのインデックスを知らせる場合、１サブフレームに含まれる全体ＰＲＢに対して割り当てられるインデックスではなく、一部、すなわち、ＤＶＲＢ構成に使われるＤＶＲＢ用ＰＲＢ又はＤＶＲＢ構成に使われるＰＲＢの中でも特定セット又はグループに属するＤＶＲＢ用ＰＲＢに対して割り当てられるインデックスを知らせることができる。
【００８６】
また、ビットマップ情報を知らせる場合にも、１サブフレームに含まれる全体ＰＲＢに対するビットマップ情報ではなく、一部、すなわち、ＤＶＲＢ構成に使われるＰＲＢ又はＤＶＲＢ構成に使われるＰＲＢの中でも特定セット又はグループに属するＰＲＢに対するビットマップ情報を知らせることができる。
【００８７】
図７は、本発明の一実施例によって分散仮想リソースブロック（ＤＶＲＢ）を用いるスケジューリングに対するスケジューリング情報構成方法の一例を説明するための図である。
【００８８】
特に、一つのＤＶＲＢを構成するＰＲＢのインデックス（あるいは、ＰＲＢのインデックスを順次に知らせることができる任意の形態の情報）をそれぞれ知らせる場合には、各端末機に伝送されるスケジューリング命令内のＰＲＢインデックスを知らせる順序を通じて、実際にその端末機が各ＰＲＢのどの部分を受け取るかを知らせることができる。
【００８９】
例えば、図７に示すように、ＮD＝２の場合に、各ＰＲＢを時間上で二つに分割し、別個のＤＶＲＢに割り当てると、スケジューリング命令を通じて送信される１番目のＰＲＢインデックスは、そのＰＲＢのうち時間上に早い（あるいは遅れた）部分を、次のＰＲＢインデックスは、そのＰＲＢのうち時間上に遅れた（あるいは早い）部分を表すという規則を定めることができる。
【００９０】
同様に、時間上で分割することに限らず、各ＰＲＢを周波数上であるいはその他いずれの方式で二つに分けたときにも、１ＰＲＢ内の各部分に対してあらかじめ定義された順序を、スケジューリング命令内のＰＲＢインデックス順序とマッピングすることができる。これは、ＮDが２より大きい場合にも適用可能であることは無論である。この場合、特に、一つの端末機に一つのＤＶＲだけが割り当てられるように制限する場合には、各端末機にその端末機に割り当てられるＤＶＲＢの実際の物理的な時間周波数リソースの割当をスケジューリングするための情報は、ＤＶＲＢをなすＰＲＢのインデックス（あるいはＰＲＢのインデックスを順次に知らせることができる任意の形態の情報）だけで構成することもできる。
【００９１】
また、上述したＤＶＲＢ用ＰＲＢ情報６０と一緒に、ＤＶＲＢ用ＰＲＢ情報６０から類推したＤＶＲＢのうち、実際にその端末機に対するデータ送受信がなされるＤＶＲＢを指示するＤＶＲＢ情報６１を知らせる。ＤＶＲＢ情報は、直接的にＤＶＲＢを知らせる形態で構成されることができる。例えば、ＤＶＲＢ情報は、その端末機に対するデータ送受信がなされるＤＶＲＢのそれぞれに対するインデックス情報になりうる。
【００９２】
また、ＤＶＲＢ情報は、当該端末機に対するデータが送受信されるＤＶＲＢのうち、最初のＤＶＲＢ情報とその端末機にいくつのＤＶＲＢを通じてデータが送受信されるかを知らせる形態で構成することができる。ここで、最初のＤＶＲＢ情報を知らせるためには、ＤＶＲＢに対してあらかじめ定められた規則にしたがってインデックスが割り当てられると仮定する。そして、データが送受信されるＤＶＲＢ個数の情報は、データ送受信に使われるＲＥの量に置き替えることもできる。
【００９３】
例えば、図５に示すＤＶＲＢ構成方式によってスケジューリングされたと仮定する。すなわち、合計４個のＰＲＢを用いて４個のＤＶＲＢを構成し、端末機に対するデータ送受信は、ＤＶＲＢインデックスが４であるＤＶＲＢを通じてなされるようにスケジューリングされたとする。
【００９４】
この場合、ＤＶＲＢ用ＰＲＢ情報６０は、上述したように、該当するＰＲＢのインデックス情報としてもよいし、それらＰＲＢがわかるビットマップ情報としてもよい。インデックス情報を送信する場合、図５の１番目、２番目、５番目、７番目ＰＲＢのそれぞれに割り当てられたインデックス情報が送信される。このとき、上述したように、最大Ｎmax＝６個までのＰＲＢを使用できるときは、残り２個のＰＲＢインデックスに対する残るビットを用いて１番目、２番目、５番目、7番目のＰＲＢのうち、任意の又は特定ＰＲＢに対するインデックスを重複して送信できる。そして、ビットマップ情報を送信する場合には、１番目、２番目、５番目、7番目ＰＲＢのそれぞれに対するビットマップのビットには、データ送受信がなされることを指示するように、例えば１で設定して送信する。
【００９５】
そして、ＤＶＲＢ情報６１が直接ＤＶＲＢを知らせる形態で構成される場合には、ＤＶＲＢインデックス情報である４に該当する情報を送信する。そして、端末機に対するデータが送受信されるＤＶＲＢのうちの最初のＤＶＲＢ情報と、その端末機にいくつのＤＶＲＢを通じてデータが送受信されるか知らせる形態で構成される場合には、ＤＶＲＢインデックス情報である４と１個のＤＶＲＢに該当する情報とを送信する。
【００９６】
以上の方式により、基地局スケジューラは、各サブフレームで任意のＰＲＢを自由に選択してＤＶＲＢを構成することによって、ＦＤＳ方式送信とＦＳＳ方式送信を自由に多重化することができる。
【００９７】
図８は、本発明の他の実施例によって分散仮想リソースブロック（ＤＶＲＢ）を構成する方法の一例を説明するための図である。
【００９８】
本実施例は、図８に示すように、ＤＶＲＢ送信に使われるＰＲＢとそれらＰＲＢを用いたＤＶＲＢの構成は、実際にＤＶＲＢ方式送受信に使われるＤＶＲＢ用ＰＲＢ個数によって定められ、このように構成されたそれらＤＶＲＢには、あらかじめ定められた規則で番号が割り当てられる。
【００９９】
例えば、図８の上端の場合、ＤＶＲＢ方式送受信に使われるＤＶＲＢ用ＰＲＢ個数が２のとき、そのときＤＶＲＢ送信に使われるＰＲＢは、１番目と５番目であり、各ＰＲＢ内のＲＥは２グループに区別され、それぞれ順次に１、２のインデックスが割り当てられる。そして、各ＰＲＢ内で同じインデックスが割り当てられるＲＥグループがまとめられて、一つのＤＶＲＢが構成される。
【０１００】
同様に、図８の下端では、ＤＶＲＢ方式送受信に使われるＤＶＲＢ用ＰＲＢ個数が４であるとき、そのときＤＶＲＢ送信に使われるＰＲＢは、１番目、３番目、５番目、７番目であり、各ＰＲＢ内のＲＥは４グループに区別され、それぞれ順次に１、２、３、４のインデックスが割り当てられる。そして、各ＰＲＢ内で同じインデックスが割り当てられるＲＥグループがまとめられて、一つのＤＶＲＢが構成される。
【０１０１】
図９は、本発明の他の実施例によって分散仮想リソースブロック（ＤＶＲＢ）を用いるスケジューリングに対するスケジューリング情報構成方法の一例を説明するための図である。
【０１０２】
図８で説明したように、一つのサブフレームでＤＶＲＢ方式送受信に使われる全体ＤＶＲＢ用ＰＲＢの個数によって、ＤＶＲＢ方式送受信に使われるＰＲＢとＤＶＲＢ構成が決定される方法を使用する場合、基地局で送信できるスケジューリング情報について説明する。この場合、本実施例では、基地局が任意のサブフレームで任意の端末機にＤＶＲＢを通じたデータ送受信をする場合、次のような情報を該当の端末機に知らせることを提案する。すなわち、図９は、一つの端末機に対するスケジューリング情報を示したものである。
【０１０３】
基地局が任意のサブフレームでＤＶＲＢ方式送受信に使われるＤＶＲＢ用ＰＲＢの全体数８０を知らせる。ここで、ＤＶＲＢ用ＰＲＢの全体数は、ＤＶＲＢの全体数に置き換えることもできる。上述したように、ＤＶＲＢ方式送受信に使われるＤＶＲＢ用ＰＲＢの全体数８０がわかると、端末機は、ＤＶＲＢ送信に使われるＰＲＢとそれらＰＲＢを用いたＤＶＲＢの構成がわかる。
【０１０４】
そして、該当の端末機のデータ送受信に用いられるＤＶＲＢ情報を送信する。一つの端末機には連続した番号のＤＶＲＢを通じてデータが送受信されるという規則を適用すると、基地局は、ＤＶＲＢを通じてデータを送受信する端末機にはデータが送受信される開始ＤＶＲＢのインデックス８１とＤＶＲＢ数８２を知らせることによって、該端末機にデータが送受信されるＤＶＲＢを知らせることができる。ここで、ＤＶＲＢ数８２は、ＲＥの量に置き換えることもできる。
【０１０５】
例えば、図８の下端に示すＤＶＲＢ構成方式によってスケジューリングされたとする。すなわち、ＤＶＲＢ方式送受信に使われるＤＶＲＢ用ＰＲＢの数が４のとき、そのとき、ＤＶＲＢ送信に使われるＰＲＢは、１番目、３番目、５番目、７番目であり、各ＰＲＢ内のＲＥは４グループに区別され、それぞれ順次に１、２、３、４のインデックスが割り当てられる。そして、各ＰＲＢ内で同じインデックスが割り当てられるＲＥグループがまとめられて、一つのＤＶＲＢが構成されると仮定する。
【０１０６】
この場合、ＤＶＲＢ方式送受信に使われるＰＲＢの全体数８０は、４個となる。受信側では、ＤＶＲＢ方式送受信に使われるＤＶＲＢ用ＰＲＢの全体数８０を４個として受信して、図８の下端のようにＤＶＲＢが構成されたことがわかる。そして、ＤＶＲＢ情報がＤＶＲＢを直接知らせる形態で構成される場合には、ＤＶＲＢインデックス情報である４に該当する情報を送信する。そして、該当の端末機に対するデータが送受信されるＤＶＲＢ情報として開始ＤＶＲＢインデックス８１とＤＶＲＢ数８２を送信すると、ＤＶＲＢインデックス情報である４と１個のＤＶＲＢに該当する情報とを送信する。受信側ではこのような情報を受信して、ＤＶＲＢインデックスが４であるＤＶＲＢ一つを用いてデータが送受信されることがわかる。
【０１０７】
以上の方式によって基地局スケジューラは各サブフレームで任意のＰＲＢを自由に選択してＤＶＲＢを構成することによって、ＦＤＳ方式送信とＦＳＳ方式送信とを自由に多重化することができる。
【０１０８】
より特徴的に、上述した実施例において、ＤＶＲＢ方式送受信に使われるＤＶＲＢ用ＰＲＢの全体数８０を、ＤＶＲＢを通じてデータを送受信する各端末機にだけ、該端末機にスケジューリング情報を伝送する制御チャネルを通じて知らせることができる。このようにＤＶＲＢを通じてデータを送受信する各端末機にだけ、ＤＶＲＢ方式送受信に使われるＤＶＲＢ用ＰＲＢの全体数８０を送信すると、この情報を伝送するためのビットが追加される負担がないという効果が得られる。
【０１０９】
各端末機は、自身にＬＶＲＢを通じたグループスケジューリング情報、又は部分ビットマップスケジューリング情報が送信されるか、又は、ＤＶＲＢ方式スケジューリング情報が送信されるかが、スケジューリング情報が送信される下りリンク制御チャネルを復号化して読む前にはわからない。したがって、このような情報を送信する下りリンク制御チャネルは、スケジューリング方式にかかわらずに同一個数のビットに同一の符号化を適用して構成することが効率的である。すなわち、スケジューリング情報を知らせる情報ビット自体にどのようなスケジューリング方式が適用されるかを知らせる情報が含まれ、残り部分に該当のスケジューリング方式で知らせるべき情報が含まれることが好ましい。
【０１１０】
このとき、ＬＶＲＢを通じたグループスケジューリング情報又は部分ビットマップスケジューリング情報はビットマップ方式でデータが送受信されるＬＶＲＢを知らせるため、サブフレーム内のＬＶＲＢの個数が多い場合には多くのビット数が必要となる。例えば、４８個のＬＶＲＢを３個のＬＶＲＢグループにまとめてグループスケジューリング情報を構成する場合、データが送受信されるＬＶＲＢグループを知らせるために１６ビットが必要となる。すなわち、スケジューリング情報は、少なくとも１６ビットを通じて伝送されなければならない。
【０１１１】
本発明で提案するＤＶＲＢスケジューリング方式では、データ送受信がなされる１番目のＤＶＲＢのインデックスとその端末機にデータ送受信がなされるＤＶＲＢ個数だけを知らせるため、最大１２ビットしか必要としない。したがって、ＬＶＲＢを通じたスケジューリング情報送信には既に１６ビット以上が必要であるため、ＤＶＲＢ方式送受信に使われるＰＲＢの全体数情報を追加しても、スケジューリング情報を送信する制御チャネルに使われる下りリンクリソースの増加はないか小さくなることが確認できる。
【０１１２】
図１０は、本発明の一実施例によってセル別に別個の分散仮想リソースブロック（ＤＶＲＢ）を構成する方法の一例を説明するための図である。
【０１１３】
セルラシステムですべてのセルが同一に定義されるＤＶＲＢ構成方式が適用されると、一つの端末機のデータ送信に割り当てられた特定ＤＶＲＢ内のＲＥは、隣接セルの他の一端末機のデータ送信に割り当てられた特定ＤＶＲＢ内のＲＥと完全に重複する確率が非常に高い。この場合、特に、データ送信に割り当てられたＤＶＲＢが重複する隣接セルの両端末機が互いに近くに位置している場合には、他の端末機に比べてお互い相対的に大きい干渉を誘発することができる。したがって、一つのセルでの特定ＤＶＲＢ内のＲＥが、他のセルでの特定ＤＶＲＢ内のＲＥと完全に重複する場合を避けるためには、特定ＤＶＲＢ内のＲＥに対するランダム化が必要である。
【０１１４】
したがって、本実施例では、別個のセルでＤＶＲＢ内に割り当てられるＲＥをランダム化するために、各ＤＶＲＢ送信に使われる各ＤＶＲＢ用ＰＲＢ内における相対的な副搬送波の位置、ＯＦＤＭシンボルの位置、又はＲＥの位置をセルごとに異なって定義する方式を提案する。
【０１１５】
図１０は、任意のＰＲＢで任意のＤＶＲＢにＲＥをマッピングするための位置を、２つのセルで別個のインタリービングを用いてＲＥ単位に異なって設定する例を示す。すなわち、ＤＶＲＢ送信に使われる各ＤＶＲＢ用ＰＲＢに含まれる２０個のＲＥに１から２０までのインデックスを割り当てる。そして、各ＤＶＲＢ用ＰＲＢに含まれる２０個のＲＥに対してインタリービング又はシフティングを行なう。これにより、セル別に該当のＲＥインデックスに対するＲＥの位置が異なってくる。
【０１１６】
言い換えると、セル別にＤＶＲＢに同じインデックスを持つＲＥを割り当てても、物理的な副搬送波又はＯＦＤＭシンボルの位置は互いに異なる。なお、このときに使われるインタリービング又はシフティング規則は、例えば、セルＩＤを入力とする場合には、より效果的にランダム化を行なうことができる。インタリービング又はシフティング規則は、上述したセルＩＤと一緒に又は別にランダムシーケンスを入力とすることができる。
【０１１７】
上述したインタリービング動作、又はシフティング動作は、個別的なＲＥ単位に、又はＲＥグループ単位に行なうことができる。例えば、同一副搬送波に属するＲＥ単位に、又は、同一ＯＦＤＭシンボルに属するＲＥ単位に行なうことができる。また、インタリービング動作、又はシフティング動作はそれぞれのＰＲＢ内でだけでなく、１サブフレーム内でＤＶＲＢ送信に割り当てられたＰＲＢ全体、又は一部ＰＲＢにわたって行なわれることができる。
【０１１８】
図１１は、本発明の一実施例によってセル別に別個の分散仮想リソースブロック（ＤＶＲＢ）送信に使われるＰＲＢ選択方法の一例を説明するための図である。
【０１１９】
本実施例では、ＤＶＲＢ内に割り当てられたＲＥに対する隣接セル間の干渉のランダム化だけでなく、隣接セル間においてＤＶＲＢに割り当てられたＰＲＢ間にだけ干渉を及ぼすのを防ぐために、サブフレーム内でＤＶＲＢ送信に割り当てられるＤＶＲＢ用ＰＲＢの選択をセルごとに変える方式を提供する。
【０１２０】
図１１は、サブフレーム内でＤＶＲＢ送信に割り当てられるＤＶＲＢ用ＰＲＢの選択をセルごとに変える方式の一例を示す。例えば、セル１では、１番目、４番目、７番目のＰＲＢを用いてＤＶＲＢを構成するのに対し、セル２では、セル１と違い、２番目、５番目、８番目のＰＲＢを用いてＤＶＲＢを構成する。
【０１２１】
このように、セルごとにＤＶＲＢ送信に割り当てられるＤＶＲＢ用ＰＲＢの選択を変えるためには、ＰＲＢインデックス別に別個のシフティング、又はインタリービングを使用することができる。そして、このときに使われるシフティング、又はインタリービング規則は、上述したＲＥ位置ランダム化におけると同様に、例えば、セルＩＤ又は所定のランダムシーケンスを入力とすることができる。
【０１２２】
データを送信する方法のうち上述したＦＳＳ方式では、主として周波数領域で連続した副搬送波を用いてデータを送信するため、ＬＶＲＢを用いてデータを送信することが好ましい。そして、データを送信する方法のうちＦＤＳ方式では、周波数領域で連続していない副搬送波を用いてデータを送信するためにＤＶＲＢを用いてデータを送信することが好ましい。
【０１２３】
図１２は、本発明の一実施例によってＤＶＲＢを用いた送信とＬＶＲＢを用いた送信を一つのサブフレーム内で多重化して送信する方法の一例を説明するための図である。
【０１２４】
既に説明したように、ＤＶＲＢを用いた送信とＬＶＲＢを用いた送信は、１サブフレーム内で多重化されることが好ましい。特に、ＤＶＲＢ送信に、上述した一方式と類似に実際に送信されるＤＶＲＢ個数によってＤＶＲＢ方式送信に使われるＰＲＢ（以下、ＤＰＲＢと称する。）の位置及び個数が定められ、この情報を直間接的にセル内の端末機に知らせる方式を適用し、ＬＶＲＢスケジューリングに、上述したＬＶＲＢグループを用いたスケジューリングを適用すると、任意のサブフレームで任意のＬＶＲＢグループをなすＰＲＢの一部がＤＶＲＢ送信に割り当てられる場合が生じうる。
【０１２５】
例えば、図１２を参照すると、１サブフレームに４８個のＰＲＢが存在し、３個のＰＲＢがまとめられて一つのＬＶＲＢグループをなすことによって、１６個のＬＶＲＢグループが存在する。このときに、「＊」表示されたＰＲＢがＤＶＲＢ送信に割り当てられると、ＬＶＲＢグループ２番、６番、１０番、１５番は、ＬＶＲＢグループ送信をする場合にＤＶＲＢ送信と衝突する。
【０１２６】
そこで、本実施例では、任意のＬＶＲＢグループの一部が任意の端末機に対するＤＶＲＢ送信に使われる場合、そのＬＶＲＢグループを通じて他の端末機に送信されるデータは、ＤＶＲＢ送信に使用されないＬＶＲＢだけを用いて送信する方式を提案する。すなわち、図１２の例で、ＬＶＲＢグループ２番を通じて任意の端末機にＬＶＲＢグループスケジューリングによってデータを送信する場合は、ＬＶＲＢグループ２番の３つのＰＲＢのうち、ＤＶＲＢ送信に使用される最初のＰＲＢを除く残り２つのＰＲＢ、すなわち、「＃」表示されたＰＲＢだけを通じて当該端末機にＬＶＲＢ送信を行なうことができる。
【０１２７】
端末機側では、特定ＬＶＲＢグループを通じてデータを受信する旨のスケジューリング情報を受けたときに、該ＬＶＲＢグループをなすＰＲＢのうち、ＤＶＲＢ送信に使用されるＰＲＢがある場合、当該ＰＲＢを通じては自身に送信されるデータがないと仮定し、残りＰＲＢに対してだけＬＶＲＢを通じて送信されるデータを受信することができる。
【０１２８】
上述したように、本発明の好ましい実施形態についての詳細な説明は、当業者が本発明を具現して実施できるように提供された。以上では本発明の好ましい実施形態に上げて本発明を説明してきたが、該当技術分野における熟練した当業者には、添付の特許請求の範囲に記載された本発明の思想及び領域を逸脱しない範囲内で、本発明を多様に修正及び変更させることができるということが理解できる。上述の実施例では上りリンクデータパケットを送信する場合に適用されうる周波数跳躍方式を説明したが、その他下りリンクデータパケットを送信する場合などにも、本明細書内に記述された送信方法と同一又は類似の方法を用いることができるということは自明である。
【０１２９】
すなわち、本特許は、ここに開示された実施形態に制限されるものではなく、ここに開示された原理及び特徴と一致する最も広い範囲の権利を受けるためのものであることは明らかである。
【産業上の利用可能性】
【０１３０】
本発明は、移動体通信システム、セルラ移動体通信システム、セルラ多重搬送波システムなどに適用することができる。
【図１】
0005389107.tif 000002
【図２】
0005389107.tif 000003
【図３】
0005389107.tif 000004
【図４】
0005389107.tif 000005
【図５】
0005389107.tif 000006
【図６】
0005389107.tif 000007
【図７】
0005389107.tif 000008
【図８】
0005389107.tif 000009
【図９】
0005389107.tif 000010
【図１０】
0005389107.tif 000011
【図１１】
0005389107.tif 000012
【図１２】
0005389107.tif 000013